(57)【要約】【課題】使用しない時にはベルトをバッグの内部に収納でき、かつ平に折り畳むことが可能なバッグを提供すること。【解決手段】布等の柔軟性素材からなる袋の開口部の近傍に設けられた、中空のハトメを用いた２個の孔に柔軟性のある平型紐の両端を外側から通し、袋の内部にて平型紐の端部にハトメを用いた孔の直径よりも外径が大きいハトメを装着して、平型紐が孔から抜けないようにした。紐は１本であり、孔は袋を平に広げた場合に開口部の両方の端部近傍にそれぞれ１個づつ配置されていてもよい。紐をバッグの内部に引き込んで収納でき、バッグを薄く平に折り畳むことが出来る。バッグ本体や紐の構造が簡単であり、ハトメは全て同一部品を採用可能であるので、部品の種類も少なく製造が容易で安価に出来る。【選択図】図１
0003150659.tif 000002
【実用新案登録請求の範囲】
【請求項１】
柔軟性素材からなる袋の開口部の近傍に設けられた、中空のハトメを用いた２個の孔に柔軟性のある平型紐の両端を外側から通し、前記袋の内部にて前記平型紐の端部に前記ハトメを用いた孔の直径よりも外径が大きいハトメを装着して、前記平型紐が前記孔から抜けないようにしたことを特徴とするバッグ。
【請求項２】
前記紐は１本であり、前記孔は前記袋を平に広げた場合に開口部の両方の端部近傍にそれぞれ１個づつ配置されていることを特徴とする請求項１に記載のバッグ。
【請求項３】
前記紐は２本であり、前記孔は前記袋を平に広げた場合に開口部近傍の両方の面ににそれぞれ２個づつ配置されていることを特徴とする請求項１に記載のバッグ。
【請求項４】
前記袋の内部にて前記平型紐の少なくとも１つの端部において、端部に加えて端部から所定の長さの位置にも前記ハトメを用いた孔よりも直径が大きいハトメを装着したことを特徴とする請求項１乃至３のいずれかに記載のバッグ。
【請求項５】
前記ハトメの形状は全て同一であり、前記袋の形状は長方形であり、前記長方形の一辺には前記開口部が設けられ、前記開口部の近傍には素材を所定の幅で折り返して縫合した折り返し部が設けられ、前記開口部と隣接する２辺の前記折り返し部１１を除く部分には素材を所定の幅で折り畳んだまち部を備えたことを特徴とする請求項１乃至４のいずれかに記載のバッグ。
【考案の詳細な説明】
【技術分野】
【０００１】
本考案は、バッグに関するものであり、特に布などの柔軟性素材からなり、折り畳み可能なバッグに関するものである。
【背景技術】
【０００２】
従来、布製や革製など柔軟な素材を用いたショルダーバッグのベルト（肩紐）はバッグ本体の開口部の周囲に縫合されたり、金具によって着脱可能に固着されていた。下記の特許文献１にはベルト３が固着されたバッグが開示されている。
【先行技術文献】
【特許文献】
【０００３】
【特許文献１】実用新案登録第３０６９２７３号公報
【考案の概要】
【考案が解決しようとする課題】
【０００４】
上記したような従来のショルダーバッグにおけるベルトの構造においては、バッグを折り畳んだ場合に平になり難く、かさばると共に、ベルトがバッグ本体の外部に露出しているのできれいに収納できないという問題点があった。本考案は、上記した従来例の問題点を解決し、使用しない時にはベルトをバッグの内部に収納でき、かつ平に折り畳むことが可能なバッグを提供することにある。
【課題を解決するための手段】
【０００５】
本考案のバッグは、柔軟性素材からなる袋の開口部の近傍に設けられた、中空のハトメを用いた２個の孔に柔軟性のある平型紐の両端を外側から通し、前記袋の内部にて前記平型紐の端部に前記ハトメを用いた孔の直径よりも外径が大きいハトメを装着して、前記平型紐が前記孔から抜けないようにしたことを主要な特徴とする。
【０００６】
また、上記したバッグにおいて、前記紐は１本であり、前記孔は前記袋を平に広げた場合に開口部の両方の端部近傍にそれぞれ１個づつ配置されている点にも特徴がある。また、上記したバッグにおいて、前記紐は２本であり、前記孔は前記袋を平に広げた場合に開口部近傍の両方の面ににそれぞれ２個づつ配置されている点にも特徴がある。
【０００７】
また、上記したバッグにおいて、前記袋の内部にて前記平型紐の少なくとも１つの端部において、端部に加えて端部から所定の長さの位置にも前記ハトメを用いた孔よりも直径が大きいハトメを装着した点にも特徴がある。
【０００８】
また、上記したバッグにおいて、前記ハトメの形状は全て同一であり、前記袋の形状は長方形であり、前記長方形の一辺には前記開口部が設けられ、前記開口部の近傍には素材を所定の幅で折り返して縫合した折り返し部が設けられ、前記開口部と隣接する２辺の前記折り返し部１１を除く部分には素材を所定の幅で折り畳んだまち部を備えた点にも特徴がある。
【考案の効果】
【０００９】
本考案のバッグは上記したような構成によって以下のような効果を奏する。
（１）使用しない時にはベルト（肩紐あるいは取っ手の紐）をバッグの内部に引き込んで収納でき、かつ使用する金属部品はハトメのみであるのでバッグを薄く平に折り畳むことが出来る。
（２）バッグ本体やベルトの構造が簡単であり、本体に装着して紐を通すハトメと紐に装着するストッパー用のハトメは同一部品を採用可能であるので、部品の種類も少なく製造が容易で安価に出来る。
【００１０】
（３）紐の端部のストッパー用のハトメを鍵、携帯電話、防犯ブザー、アクセサリー等をバッグにつないでおくリングとして利用出来、鍵、携帯電話、防犯ブザー、アクセサリー等を容易に取り出すことが出来ると共に、これらのものがバッグから抜き取られることを防止出来る。
（４）更に、バッグの内側においてストッパーのハトメの先に更に紐を延長し、端部に小物連結用のハトメを装着することにより、鍵、携帯電話、防犯ブザー、アクセサリー等をより下方に収納可能であり、かつ取り出しは容易で、これらのものをバッグから外さずに使用することが容易となる。
【図面の簡単な説明】
【００１１】
【図１】図１は本考案のバッグの構成を示す正面図、側面図および平面図である。
【図２】図２は本考案のバッグの紐の取り付け部分の構成を示す平面図である。
【図３】図３は本考案のバッグの紐を収納した場合の構成を示す正面図および側面図である。
【図４】図４は本考案のバッグの実施例２の構成を示す正面図および側面図である。
【図５】図５は本考案のバッグの紐の取り付け部分の他の構成を示す平面図である。
【考案を実施するための形態】
【００１２】
以下に図面を参照して本考案の実施例について説明する。
【実施例１】
【００１３】
図１は、本考案のバッグの構成を示す正面図、側面図および平面図である。バッグ１０は、布、和紙、不織布、ビニール、革など柔軟性のある素材によって製造される袋状のバッグ本体１０と、やはり柔軟性のある素材によって製造される肩紐１２とからなる。本体１０と肩紐１２は同じ素材であってもよい。
【００１４】
本体１０は内部が空の場合には長方形の薄いシート状であり、本体１０の長方形の一辺は開口部１６となっている。そして、開口部１６の両側（両面）には本体１０の素材を所定の幅で例えば３重に折り返して縫合することにより補強および形状維持を図った細長い長方形の形状の折り返し部１１が設けられている。なお、必要に応じて折り返し部１１の内部に芯材を内蔵してもよい。
【００１５】
本体１０の長方形の一辺である開口部１６と隣接する２辺の折り返し部１１を除く部分には素材を所定の幅で折り畳んだまち部１５が設けられている。但し、まち部１５は無くてもよい。また、本体１０の長方形の開口部１６と対向する底辺にはまち部は設けない。
【００１６】
２面ある折り返し部１１のそれぞれの面の一方の短辺の近傍には中空の大型のハトメ１３、１４が装着されている。２個のハトメ１３、１４は本体１０の長方形の一辺である開口部１６と隣接する２辺の近傍（開口部１６の両端部近傍）に１個づつ配置される。そして、中空のハトメ１３、１４を用いた２個の孔に柔軟性のある平型紐１２の両端が移動可能に外側から通され、内部に後述するストッパーが設けられている。
【００１７】
図２は、本考案のバッグの紐の取り付け部分の構成を示す平面図である。開口部１６の両面の折り返し部１１の一方の短辺の近傍には中空のハトメ１３を用いた孔２０が設けられ、この孔２０に柔軟性のある平型の肩紐１２の端部が移動可能に外側から通されている。ハトメ１３としてはアルミニウムや真鍮等の金属製であり、孔の内面が滑らかな中空の大型のハトメを用いる。このようなハトメおよびハトメの装着器具は市販されている。
【００１８】
肩紐１２は紐の端部２２がバッグ本体１０の内部に収納されるように孔２０に通されており、肩紐１２の幅はハトメ１３よりも広くなっている。そして、バッグ本体１０の内部にてハトメ１３を用いた孔２０の直径よりも外径が大きいストッパー用のハトメ２１が平型の肩紐の端部２２に装着されている。
【００１９】
孔用のハトメ１３とストッパー用のハトメ２１は同一形状のハトメであってもよい。肩紐１２を引っ張ってもストッパー用のハトメ２１が孔２０に係止することによって肩紐１２は孔２０からは抜けない。
【００２０】
紐の端部のストッパー用のハトメ２１はやはり中空であるので、鍵、携帯電話、防犯ブザー、アクセサリー等の小物をバッグに連結しておくリングとして利用することができる。ハトメ２１に鍵、携帯電話、防犯ブザー、アクセサリー等の小物を連結することにより、これらの小物を容易に取り出すことが出来ると共に、これらの小物の紛失あるいはバッグから抜き取られることを防止することが出来る。
【００２１】
また、紐の端部２２を引っ張ることにより、肩紐１２を孔２０を通して引き出すことが出来るので、鍵等の小物をバッグ本体１０に連結したままで延長させることができ、小物の使用が容易となる。なお、肩紐１２が長すぎる場合には、肩紐１２をバッグ内部に引き出すことができるので、ハトメ２１より内側にて結び目を作るか、あるいはバッグの外側の肩紐１２と結ぶことによって肩紐１２の長さを短く調節することができる。
【００２２】
図３は、本考案のバッグの紐を収納した場合の構成を示す正面図および側面図である。バッグ１０を使用しない時には、図３に示すように、肩紐１２Ａをバッグ本体１０の内部に引き込んで収納でき、外部に露出している肩紐１２を例えば折り返し部１１に巻き付けるように沿わせることにより、バッグ全体が長方形の薄いシート状になる。バッグに使用する金属部品は薄いハトメのみであるので、バッグ全体をを薄く平に折り畳むことが出来、折り畳んだ場合に肩紐が分離せず本体と一体となるので邪魔にならず、見栄えも良い。
【００２３】
本考案のバッグにおいては、バッグ本体やベルトの構造が簡単であり、本体に装着して紐を通すハトメ１３、１４と紐に装着するストッパー用のハトメ２１は同一部品を採用可能であるので、材料としては布等の素材とハトメの２種類のみでも製造でき、材料の種類が少なく、製造が容易であり、かつ安価に製造することが出来る。
【実施例２】
【００２４】
図４は、本考案のバッグの実施例２の構成を示す正面図および側面図である。実施例１においては、肩紐が１本のショルダーバッグタイプのバッグについて開示したが、実施例２においては２本の手提げ紐３５、３６を備えたバッグ３０について説明する。バッグ本体３０において、実施例１のバッグ本体１０との相違点は折り返し部１１に設けられたハトメの位置および数のみである。
【００２５】
実施例２においては、開口部の両面の折り返し部３８のそれぞれに２箇所のハトメ３１、３２が設けられている。ハトメ３１、３２は、折り返し部３８の短辺（両端）と折り返し部３８の中心との中間位置か、あるいは中間位置よりやや中心寄りの位置に設ける。そして、一方の折り返し部３８に設けられた２個のハトメ３１、３２の孔に１本の手提げ紐３５の両端を外側から通し、他方にも同様に１本の手提げ紐３６の両端を外側から通す。
【００２６】
手提げ紐３５、３６の構造は実施例１と同一であり、手提げ紐３５、３６の端部がバッグ本体３０の内部に収納されるようにハトメ３１、３２の孔に通されており、手提げ紐３５、３６の幅はハトメ３１〜３３よりも広くなっている。そして、バッグ本体３０の内部にてハトメを用いた孔の直径よりも直径が大きいストッパー用のハトメが平型の紐の端部に装着されている。実施例２のバッグ３０も実施例１のバッグ１０と同様に手提げ紐３５、３６の端部を収納して平に折り畳むことが可能である。
【００２７】
図５は、本考案のバッグの紐の取り付け部分の他の構成を示す平面図である。図２に示す実施例１の紐の端部の構成においては、小物を連結することは可能であるが、バッグ使用時にはストッパー用のハトメ２１は常にバッグの開口部の近傍にあり、例えばバッグを肩にかけたままで小物を取り出して使用することが困難である。
【００２８】
そこで、バッグ１０（３０）の内側においてストッパー用のハトメ２１の先に更に紐４０を延長し、紐４０の端部に小物連結用のハトメ４１を装着する。紐を延長する長さは任意であるが、例えば１０〜２０センチメートル程度であってもよい。
【００２９】
上記のような構成により、鍵、携帯電話、防犯ブザー、アクセサリー等の小物をバッグのより下方に収納可能であり、かつ取り出しは容易である。また、これらのものをバッグから外さずに使用することも容易となる。更に、図５に示すような構成は、実施例１あるいは実施例２の構成において紐を少し長くし、ストッパーと同じハトメを１個追加するだけで出来る。なお、図５の構成は実施例１あるいは２のいずれにも適用可能であり、紐の一端のみでもよいし紐の両端に適用してもよい。
【産業上の利用可能性】
【００３０】
本考案のバッグは汎用性のあるバッグとして各種用途に適用できる。
【符号の説明】
【００３１】
１０…バッグ
１１…折り返し部
１２…肩ひも
１３、１４…ハトメ
１５…まち部
【図１】
0003150659.tif 000003
【図２】
0003150659.tif 000004
【図３】
0003150659.tif 000005
【図４】
0003150659.tif 000006
【図５】
0003150659.tif 000007